(57)【要約】      （修正有）【課題】扉を閉じていても棚の中のペット写真や形見を眺めることができるとともに、扉を開いたときには、線香を立てたり花を飾ったりすることができるペット用仏壇として使用できる飾り棚を提供する。【解決手段】棚部分２０と、棚部分２０の側部に設けた回転棚部分３０とにより飾り棚１を構成した。棚部分２０には、ガラス窓が設けられた開閉扉２１が回動可能に取り付けられている。回転棚部分３０に、載置された物の転倒を防止するための支え棒３４が設けられている。回転棚部分が閉じられたときに、磁石３６による磁力により回転棚部分が係止される。開閉扉２１に鍵が設けられている。回転棚部分は、玉バネとくぼみ部とにより、複数の位置でクリック止めできる。【選択図】図５
2005253548.tif 000002
【特許請求の範囲】
【請求項１】
棚部分と、棚部分の側部に設けられた回転棚部分とからなることを特徴とする飾り棚。
【請求項２】
棚部分と、棚部分の両側部にそれぞれ設けられた回転棚部分とからなることを特徴とする飾り棚。
【請求項３】
回転棚部分の回転軸は、飾り棚の後側且つ側方側に設けられていることを特徴とする請求項１又は２に記載の飾り棚。
【請求項４】
棚部分には、ガラス窓が設けられた開閉扉が回動可能に取り付けられていることを特徴とする請求項１乃至３に記載の飾り棚。
【請求項５】
回転棚部分には、手指をかけて回転棚部分を開くための彫込み把手が設けられていることを特徴とする請求項４に記載の飾り棚。
【請求項６】
開閉扉を閉じたときに、回転棚部分の彫込み把手が開閉扉により覆われて、手指を彫込み把手にかけることを防止することができることを特徴とする請求項５に記載の飾り棚。
【請求項７】
回転棚部分は、前板と、後板と、側板と、底板とからなることを特徴とする請求項１乃至６に記載の飾り棚。
【請求項８】
回転棚部分に、載置された物の転倒を防止するための支え棒が設けられていることを特徴とする請求項１乃至７に記載の飾り棚。
【請求項９】
回転棚部分が閉じられたときに、磁力により回転棚部分が係止される事を特徴とする請求項１乃至９に記載の飾り棚。
【請求項１０】
開閉扉に鍵が設けられていることを特徴とする請求項４乃至６に記載の飾り棚。
【請求項１１】
回転棚部分の側板が、飾り棚の側板となることを特徴とする請求項７に記載の飾り棚。
【請求項１２】
回転棚部分は、複数の位置でクリック止めできることを特徴とする請求項１乃至１１に記載の飾り棚。
【発明の詳細な説明】
【技術分野】
【０００１】
本発明は、飾り棚に関する。さらに詳しくは、本発明は、愛玩動物の骨壷、位牌、写真立て、花立などを収納することができるメモリアルキャビネットに関する。
【背景技術】
【０００２】
従来、コンパクトで置き場所を自由に選択できる仏壇がある（例えば、特許文献１参照。）。特許文献１の仏壇は、位牌や香炉などの仏具を収納する空間を内部に有する本体と、本体の開口を開閉するために本体の幅方向に観音開きする両開きの扉と、両開きの扉の内面に設けられた花立取り付け部とが設けられていて、これによって仏具を収納するための限られた空間を有効に利用するものである。
また、ペット（愛玩動物）を祭るのに適したペット用仏壇もある（例えば、特許文献２参照。）特許文献２のペット用仏壇は、箱状の本体と、本体の前面を開閉するために観音開きする左右一対の箱状の扉とを有し、本体の裏側に写真入れが形成されており、本体の開口を通して写真を見ることができ、箱状の扉には、花立を入れるための貫通穴が形成された仕切板が設けられている。このペット用仏壇は、テーブルなどの上において利用することができる。また、本体の背面に係止具を設けて、壁に設けたフックにこの係止具をかけることにより、壁掛けとして利用することもできる。
さらにまた、扉を閉めたときに、花立に生けられた生花が御本尊に接触しないようにした仏壇もある（例えば、特許文献３参照。）。特許文献３の仏壇は、御本尊を収納するための本体と、本体の開口を開閉するための観音開きの扉と、観音開きの扉の内面に設けられた花立の載置棚と、本体の側板の内面に蝶着されて観音開きの扉の開閉に連動してドアスイングする遮蔽板とが設けられており、観音扉を閉じたときに、この閉じ動作に連動して遮蔽板が閉じることにより、載置棚の花立に生けられた生花が御本尊に接触しないようにしている。
【０００３】
【特許文献１】特開２０００−１５８号公報
【特許文献２】特開２０００−５０４０号公報
【特許文献３】特開２００３−３１９８７２号公報
【発明の開示】
【発明が解決しようとする課題】
【０００４】
しかしながら、従来の仏壇は、位牌や写真などを配置する本体の開口を開閉する扉が観音開きであるものがほとんどである。そして、扉を閉じた状態においては、位牌や写真などを外から眺めることができない。
特に、仏壇を小型化するために、観音開きの扉の内側に花立取り付け部を設けた仏壇においては、たとえ、観音開きの扉にガラス窓を設けたとしても、観音扉を閉じたときには、内側の花立に遮られて、位牌や写真などを外から眺めることができない。
愛玩動物（ペット）を亡くした飼い主は、ペットの写真や形見を眺めながら線香を立て花を飾ってそのペットの供養をする。しかしながら、飼い主は悲しみを慰めるために新たなペットを飼い始めることがある。新しいペット、特に、猫などは、亡くなったペットの仏壇の扉が開いていると、仏壇の中をいたずらすることがある。そこで、飼い主は、通常は仏壇の扉を閉じておく必要がある。したがって、亡くなったペットの写真を眺めることがなかなかできないという問題がある。
そこで、本発明は、仏壇として使用できる飾り棚を提供することを目的とする。
また、本発明は、ペットの写真や花を飾ることができる飾り棚を提供することを目的とする。
また、本発明は、扉を閉じていても棚の中の写真や形見を眺めることができるとともに、扉を開いたときには、線香を立てたり花を飾ったりすることができる飾り棚を提供することを目的とする。
【課題を解決するための手段】
【０００５】
前述した課題を解決する為に本発明では、棚部分（２０）と、棚部分（２０）の側部に設けた回転棚部分（３０）とにより飾り棚（１）を構成した。
また、棚部分（１２０）と、棚部分（１２０）の両側部にそれぞれ設けられた回転棚部分（１３０、１５０）とにより飾り棚（１０１）を構成してもよい。
回転棚部分（３０；  １３０，１５０）の回転軸（３２ａ、３２ｂ）は、飾り棚（１；  １０１）の後側且つ側方側に設けられているとよい。
棚部分（２０；  １２０）には、ガラス窓が設けられた開閉扉（２１）が回動可能に取り付けられているとよい。
回転棚部分（３０；  １３０，１５０）には、手指をかけて回転棚部分を開くための彫込み把手（３５）が設けられているとよい。
開閉扉（２１）を閉じたときに、回転棚部分（３０；  １３０）の彫込み把手（３５）が開閉扉（２１）により覆われて、手指を彫込み把手（３５）にかけることを防止することができるとよい。
回転棚部分は、前板（３１ａ）と、後板（３１ｂ）と、側板（３１ｄ）と、底板（３１ｃ）とからなるとよい。
回転棚部分に、載置された物の転倒を防止するための支え棒（３４）が設けられているとよい。
回転棚部分が閉じられたときに、磁石（３６）による磁力により回転棚部分が係止されるとよい。
開閉扉（２１）に鍵（２７）が設けられているとよい。
回転棚部分の側板（３１ｄ）が、飾り棚の側板となるとよい。
回転棚部分は、玉バネ（７）とくぼみ部（３７）とにより、複数の位置でクリック止めできるとよい。
【発明の効果】
【０００６】
本発明によれば、仏壇として使用できる飾り棚を提供することができる。
また、本発明によれば、ペットの写真や花を飾ることができる飾り棚を提供することができる。
【０００７】
また、本発明の実施例によれば、扉を閉じていても棚の中の写真や形見を眺めることができるとともに、扉を開いたときには、線香を立てたり花を飾ったりすることができる飾り棚を提供することができる。
【０００８】
花飾り扉は、クリック止めにより、所望の位置に係止できる。花飾り扉は、前板と後板と側板と底板とから構成されているので、水を入れた花瓶や骨壷などの重たい物を載せても安定している。また、支え棒が設けられているので、花瓶などの転倒を防止することができる。さらに、花飾り扉には、天板がないので、花飾り扉を開いたときには、背の高い大きな花を飾ることもできる。
【０００９】
棚部分の開閉扉にガラス窓を設けたので、開閉扉を閉じた状態でも、ペットの写真を眺めることができる。また、棚部分と回転棚部分とを設けたことにより、花立に花を生けたまま花飾り扉を閉じても、ペットの写真を眺めることができる。また、棚部分と回転棚部分とを設けたことにより、コンパクトな飾り棚を提供できる。
【００１０】
また、開閉扉により、花飾り扉の彫込み把手が覆われるので、開閉扉を開けない限り、ペットがいたずらして花飾り扉を開けることを防止できる。
【発明を実施するための最良の形態】
【００１１】
以下、本発明を、好ましい実施形態に基づき図面を参照しながら説明する。ただし、以下の実施形態に記載されている構成部品の寸法、材質、形状、その相対配置などは、特に特定的な記載がない限りは、この発明の範囲をそれらのみに限定する趣旨のものではない。
【実施例１】
【００１２】
図１は、本発明の実施例１による飾り棚１の斜視図である。図２は、本発明の実施例１による飾り棚１の正面図である。飾り棚１は、大きく分けると二つの部分、すなわち、開閉扉２１が設けられた棚部分２０と、回転可能な花飾り扉３１が設けられた回転棚部分３０とからなる。飾り棚１は、天板２と、地板３と、背板４とが設けられている。
図３は、開閉扉２１と花飾り扉３１とを途中まで開いた状態を示す斜視図である。図４は、その状態を示す正面図である。
図５は、開閉扉２１と花飾り扉３１とを一杯に開いた状態を示す斜視図である。図６は、その状態を示す正面図である。
【００１３】
図５からよくわかるように、棚部分２０には、仕切り板２２、水平棚板２３、及び側板２４が設けられている。仕切り板２２は、棚部分２０と回転棚部分３０とを仕切っている。
図７は、図２の線VII−VIIに沿って取った断面図である。図７に示すように、仕切り板２２には、複数の穴２５が設けられている。同様に、側板２４にも、複数の穴２５が設けられている（不図示）。これらの穴２５のうちの所望の高さの穴２５にピン２６を差し込むことができる。差し込まれたピン２６の上に、水平棚板２３を載せる。
【００１４】
図５にもどって、開閉扉２１は、蝶番２９により側板２４に対して回動可能に取り付けられている。開閉扉２１には、開口２１aが形成されていて、この開口２１ａにガラス板４０が嵌め込まれ、ガラス窓が形成されている。なお、飾り棚１の側板２４を壁に密着させて配置した場合でも開閉扉２１を開閉できるように、蝶番２９は、開閉扉２１を開放した際に開閉扉２１が側板２４よりも外側へ出ないようなヒンジを採用することができる。
開閉扉２１には、鍵２７が設けられている。鍵２７を回動することにより、開閉扉２１の裏側に設けられた係止部材２７ａ（図５）が回動する。仕切り板２２には、係止穴２７ｂが設けられている（図７）。鍵２７の係止部材２７ａは、仕切り板２２の係止穴２７ｂに係止して、開閉扉２１を施錠する。
【００１５】
棚部分２０の底部には、貴重品などを目立たないように収納するための隠し収納室５が設けられている（図７）。隠し収納室５は、地板３に形成された略矩形の凹部３ａと、この凹部３ａを覆う隠し蓋６に形成された略矩形の凹部６ａとにより画成されている。
【００１６】
図８は地板３の平面図、図９は地板３の正面図、図１０は地板３の側面図である。地板３には、隠し収納室５を画成するための凹部３ａと、花飾り扉３１を回動可能に支持するための回転軸穴３ｂと、花飾り扉３１を段階的にクリック止めするための玉バネ７が設けられている。玉バネ７は、通常は図８〜図１０に示すようにバネ力により上方に突出している。玉バネ７に所定以上の押圧力がかかると、玉バネ７は下方へ沈むことができる。
【００１７】
図１１は、天板２の底面図である。天板２には、花飾り扉３１を回動可能に支持するための回転軸穴２ａと、花飾り扉３１の回動を所定位置で停止させるためのストッパー溝２ｂとが設けられている。ストッパー溝２ｂは、花飾り扉３１の回動を案内する案内溝としても作用する。
【００１８】
図１２は花飾り扉３１の正面図、図１３は花飾り扉３１の側面図、図１４は花飾り扉３１の底面図である。
図１２からよくわかるように、花飾り扉３１の上部と下部にそれぞれ一つずつ回転軸（回転ピン）３２ａ、３２ｂが取り付けられている。上部の回転軸３２ａは、天板２の回転軸穴２ａに嵌合する。下部の回転軸３２ｂは、地板３の回転軸穴３ｂに嵌合する。花飾り扉３１は、回転軸３２ａ、３２ｂを通る軸線Ｘを中心にして回動することができる。花飾り扉３１の上部には、さらに、ストッパーピン３３が設けられている。ストッパーピン３３は、天板２のストッパー溝２ｂに差し込まれる。軸線Ｘを中心に花飾り扉３１が回動すると、ストッパーピン３３は、ストッパー溝２ｂ内を摺動する。図１に示すように、花飾り扉３１が閉じられた状態において、ストッパーピン３３はストッパー溝２ｂの一端部２ｂ１に当接して、閉じ動作の回動が規制される。図５に示すように、花飾り扉３１が一杯に開かれた状態において、ストッパーピン３３はストッパー溝２ｂの他端部２ｂ２に当接して、開き動作の回動が規制される。
【００１９】
図１３に示すように、花飾り扉３１は、前板３１ａと、後板３１ｂと、底板３１ｃと、側板３１ｄとからなる。前板３１ａと後板３１ｂとの間には、支え棒３４が設けられている。花飾り扉３１の底板３１ｃの上に、花立、香炉、骨壷などを置いた際に、花立や香炉や骨壷が倒れないように、支え棒３４が設けられている。前板３１ａには、前板３１ａの側面から内面にかけて、彫込み把手３５が設けられている。花飾り扉３１を開けるときに、彫込み把手３５に手指をかけることにより、花飾り扉３１の開放を容易にしている。
【００２０】
花飾り扉３１の底板３１ｃには、磁石３６が取り付けられている。図５に示すように、仕切り板２２には、鉄片などの磁化されやすい磁性体２８が取り付けられている。花飾り扉３１を閉じたときに、磁石３６と磁性体２８とが磁力により吸着するので、花飾り扉３１をしっかりと閉じることができる。これによって、猫などのペットが花飾り扉３１を開けようとしても、容易に開くことはない。
【００２１】
図１４は、花飾り扉３１の底面図である。花飾り扉３１の底面には、くぼみ部（玉バネ受け用ディンプル）３７が設けられている。本実施例においては、くぼみ部３７が四つ設けられている。このくぼみ部３７は、地板３に設けられた玉バネ７を受けて、花飾り扉３１をクリック止めするためのものである。本実施例においては、花飾り扉３１を四つの位置でクリック止めすることができる。
【００２２】
（実施例１の飾り棚１の使用方法）
飾り棚１の棚部分２０の開閉扉２１を開けて、水平棚板２３の上に、亡くなったペットの写真立てや形見などを飾ることができる。また、隠し蓋６を開けて、隠し収納室５に貴重品などを隠して収納しておくことができる。
【００２３】
回転棚部分３０の花飾り扉３１の彫込み把手３５に手指をかけて、花飾り扉３１を向かって右方向への回動することにより、花飾り扉３１を開けることができる。玉バネ７とくぼみ部３７との作用により、花飾り扉３１を複数の位置でクリック止めすることができる。花飾り扉３１の底板３１ｃの上に、花立、香炉、骨壷などを置くことができる。支え棒３４が設けられているので、花飾り扉３１を回動させるときに、花立、香炉、骨壷などが倒れることがない。花飾り扉３１を閉じるときには、花飾り扉３１の底板３１ｃに設けられた磁石３６と棚部分２０の仕切り板２２に設けられた鉄片などの磁性体２７との吸着力により、花飾り扉３１をしっかりと締めることができる。
【００２４】
そして、開閉扉２１を閉じて、鍵２７をかけることにより、現在飼っている猫などのペットがいたずらして開閉扉２１を開けることができないようにする。開閉扉２１が閉じていると、花飾り扉３１の彫込み把手３５が開閉扉２１により覆われる。したがって、猫などのペットがいたずらして花飾り扉３１を開けようとしても、彫込み把手３５に手や足をかけることができないので、花飾り扉３１を容易に開けることはできない。
【００２５】
ペットの写真や位牌を拝む際には、鍵７を開けて開閉扉２１を開放し、花飾り扉３１の彫込み把手３５に手指をかけて花飾り扉３１を回動して開く。花飾り扉３１には、花が飾られ、お香をたくことができる。
なお、開閉扉２１には、ガラス窓が設けられているので、開閉扉２１を開放しなくても、飾り棚１の中のペットの写真や位牌を拝むことができる。
【実施例２】
【００２６】
図１５は、本発明の実施例２による飾り棚１０１の斜視図である。図１６は、本発明の実施例２による飾り棚１０１の正面図である。飾り棚１０１は、大きく分けると三つの部分、すなわち、開閉扉１２１が設けられた棚部分１２０と、棚部分１２０の右側に設けられ右側に向かって開くように回転可能な第一花飾り扉１３１が設けられた第一回転棚部分１３０と、棚部分１２０の左側に設けられ左側に向かって開くように回転可能な第二花飾り扉１５１が設けられた第二回転棚部分１５０とを有しています。飾り棚１０１は、天板１０２と、地板１０３と、背板１０４とが設けられています。
【００２７】
図１７は、第一花飾り扉１３１と第二花飾り扉１５１とを一杯に開いた状態を示す斜視図である。
実施例２によれば、棚部分１２０の両側に花を飾ることができるので、より豪華になる。
【実施例３】
【００２８】
図１８は、本発明の実施例３による飾り棚２０１の斜視図である。棚部分２２０は右側に配置され、回転棚部分２３０は左側に配置されている。棚部分２２０の開閉扉２２１は、右手で右方向へ開けることができる。花飾り扉２３１は、向かって左方向へ回転させることができる。
図１９は、実施例１の飾り棚１と実施例３の飾り棚２０１を隣接して並べて配置した様子を示す正面図である。飾り棚１の棚部分２０と飾り棚２０１の棚部分２２０を密着して配置している。棚部分２０、２２０を密着して配置しても、開閉扉２１、２２１を開閉することができるので、あたかも一つの家具のように見せることもできる。たとえば、骨壷が増えて買い足した場合などに便利である。
このように、本発明によれば、置き場所と置き方の自由度が極めて高い飾り棚を提供することができる。
【００２９】
本発明は、以上の実施形態に限定されるものではなく、その特徴事項から逸脱することなく、他のいろいろな形態で実施することができる。そのため、前述の実施の形態はあらゆる点で単なる例示にすぎず、限定的に解釈してはならない。本発明の範囲は、特許請求の範囲によって示すものであって、明細書本文には、何ら拘束されない。さらに、特許請求の範囲の均等範囲に属する変形や変更は、すべて本発明の範囲内のものである。
【図面の簡単な説明】
【００３０】
【図１】本発明の実施例１による飾り棚１の斜視図。
【図２】本発明の実施例１による飾り棚１の正面図。
【図３】開閉扉２１と花飾り扉３１とを途中まで開いた状態を示す斜視図。
【図４】開閉扉２１と花飾り扉３１とを途中まで開いた状態を示す正面図。
【図５】開閉扉２１と花飾り扉３１とを一杯に開いた状態を示す斜視図。
【図６】開閉扉２１と花飾り扉３１とを一杯に開いた状態を示す平面図。
【図７】図２の線VII−VIIに沿って取った断面図。
【図８】地板３の平面図。
【図９】地板３の正面図。
【図１０】地板３の側面図。
【図１１】天板２の底面図。
【図１２】花飾り扉３１の正面図。
【図１３】花飾り扉３１の側面図。
【図１４】花飾り扉３１の底面図。
【図１５】本発明の実施例２による飾り棚１０１の斜視図。
【図１６】本発明の実施例２による飾り棚１０１の正面図。
【図１７】第一花飾り扉１３１と第二花飾り扉１５１とを一杯に開いた状態を示す斜視図。
【図１８】本発明の実施例３による飾り棚２０１の斜視図。
【図１９】飾り棚１と飾り棚２０１を並べて配置した様子を示す正面図。
【符号の説明】
【００３１】
１；１０１；２０１    飾り棚
７            玉バネ
２０；１２０；２２０  棚部分
２１；２２１  開閉扉
２７          鍵
３０；１３０，１５０；２３０  回転棚部分
３１；２３１  花飾り扉
３１ａ        板
３１ｂ        後板
３１ｃ        底板
３１ｄ        側板
３２ａ、３２ｂ回転軸
３４          支え棒
３５          彫込み把手
３６          磁石
３７          くぼみ部
【図１】
2005253548.tif 000003
【図２】
2005253548.tif 000004
【図３】
2005253548.tif 000005
【図４】
2005253548.tif 000006
【図５】
2005253548.tif 000007
【図６】
2005253548.tif 000008
【図７】
2005253548.tif 000009
【図８】
2005253548.tif 000010
【図９】
2005253548.tif 000011
【図１０】
2005253548.tif 000012
【図１１】
2005253548.tif 000013
【図１２】
2005253548.tif 000014
【図１３】
2005253548.tif 000015
【図１４】
2005253548.tif 000016
【図１５】
2005253548.tif 000017
【図１６】
2005253548.tif 000018
【図１７】
2005253548.tif 000019
【図１８】
2005253548.tif 000020
【図１９】
2005253548.tif 000021
【手続補正書】
【提出日】平成17年1月19日(2005.1.19)
【手続補正１】
【補正対象書類名】特許請求の範囲
【補正対象項目名】請求項９
【補正方法】変更
【補正の内容】
【請求項９】
回転棚部分が閉じられたときに、磁力により回転棚部分が係止されることを特徴とする請求項１乃至８に記載の飾り棚。